(57)【要約】【課題】複数の受信側端末へ制御パケットを送信する場合、制御パケットを、迅速かつ確実に、端末間で伝送することができる制御パケット伝送システムを提供することを目的とするものである。【解決手段】所定の制御パケットを送信する送信側端末を有し、受信した上記制御パケットが、直前に受信した上記制御パケットと異なるときには、新たな制御内容の制御パケットを受信したと判断し、新たな制御内容の制御パケットによる制御を行う受信側端末を有する制御パケット伝送システムである。【選択図】　図１
2004023596.tif 000002
【特許請求の範囲】
【請求項１】
所定の制御情報を具備する制御パケットを送信する送信側端末と；
新たに受信した上記制御パケットとその直前に受信した上記制御パケットとを比較する制御パケット比較手段と、上記新たに受信した制御パケットと上記直前に受信した制御パケットとが異なることを、上記制御パケット比較手段が判断すると、上記直前に受信した制御パケットが具備する上記制御情報の内容を実行する制御実行手段とを具備する受信側端末と；
を有することを特徴とする制御パケット伝送システム。
【請求項２】
所定の制御情報を具備し、予め定められているＵＲＬの表示を命令する制御パケットを送信する送信側端末と；
新たに受信した上記制御パケットとその直前に受信した上記制御パケットとを比較する制御パケット比較手段と、上記新たに受信した制御パケットと上記直前に受信した制御パケットとが異なることを、上記制御パケット比較手段が判断すると、上記直前に受信した制御パケットにおけるＵＲＬを表示する表示手段とを具備する受信側端末と；
を有することを特徴とする制御パケット伝送システム。
【請求項３】
請求項１または請求項２において、
上記送信側端末は、互いに同一の制御情報を具備する制御パケットを、複数回ずつ送信する端末であることを特徴とする制御パケット伝送システム。
【請求項４】
請求項１または請求項２において、
上記制御パケット比較手段は、２つの上記制御パケットのそれぞれに含まれている２つの識別子を比較することによって、上記新たに受信した制御パケットと上記直前に受信した制御パケットとが異なることを判断する手段であることを特徴とする制御パケット伝送システム。
【請求項５】
請求項１または請求項２において、
上記制御パケットは、識別子と、次に受け取るべき制御パケットに対応する識別子である次識別子とを含むパケットであり、
上記制御パケット比較手段は、上記新たに受け取った上記制御パケットの識別子と、上記直前に受け取った上記制御パケットにおける次識別子とを比較し、上記新たに受け取った上記制御パケットの識別子と、上記直前に受け取った上記制御パケットにおける次識別子とが同じであれば、新たな制御内容の上記制御パケットを受信したことを判断する手段であることを特徴とする制御パケット伝送システム。
【請求項６】
請求項１または請求項２において、
上記制御パケットは、上記送信側端末に設定されているパスワードを含むパケットであり、
上記受信側端末に、固有のパスワードが設定され、
上記受信側端末は、上記送信側端末に設定されているパスワードと、所定の上記受信側端末に設定されている固有のパスワードとが一致したときに、上記所定の受信側端末が上記制御パケットを受信することができる端末であることを特徴とする制御パケット伝送システム。
【請求項７】
端末間で制御パケットを伝送する制御パケット伝送システムにおいて、
互いに同一の制御情報を持つ制御パケットを、複数回ずつ送信することを特徴とする送信側端末。
【発明の詳細な説明】
【０００１】
【発明の属する技術分野】
本発明は、迅速処理で、制御パケットを端末間で伝送する制御パケット伝送システムに関する。
【０００２】
【従来の技術】
図８は、従来の制御パケット伝送システム５００を示すブロック図である。
【０００３】
図８に示すように、従来の制御パケット伝送システム５００において、制御のための情報が入れられた情報制御パケットＰ５が、ネットワークＮＷを介して、送信側端末ＴＲ５から、複数の受信側端末ＲＥ５Ａ、ＲＥ５Ｂ、……、ＲＥ５Ｎのそれぞれに送られ、受信側端末ＲＥ５Ａ〜ＲＥ５Ｎにおいて、所定の制御が行われている。
【０００４】
この場合、上記従来例では、複数の受信側端末ＲＥ５Ａ〜ＲＥ５Ｎへの制御パケットＰ５の送信は、受信側端末ＲＥ５Ａ〜ＲＥ５Ｎのうちの１つ毎に、順次行われ、パケットが失われる可能性がある。
【０００５】
上記のように、パケットが失われる場合として、通信路のトラフィックが多すぎて送信できないパケットが生じた場合、通信路中の中継装置（ルータ等）のバッファを超えるパケットが来たので中継できないパケットが生じた場合、受信側の受信バッファのサイズを超えるパケットが来たので処理できないパケットが生じた場合等が考えられる。
【０００６】
したがって、複数の受信側端末ＲＥ５Ａ〜ＲＥ５Ｎへ制御パケットＰ５を送信する場合、その送信の確実性を維持するために、「パケットを受信した」という応答を、受信側端末に実行させ、応答が受信側端末から返送されるまで、制御パケットを再送する。
【０００７】
【発明が解決しようとする課題】
しかし、上記のように、「パケットを受信した」という応答を、受信側端末に必ず実行させ、受信側端末から上記応答が返送されるまで、制御パケットを再送するようにすると、全体の送信が終了するまでに必要な時間が極めて長いという問題がある。
【０００８】
また、上記従来例では、制御パケットＰ５の送信を、受信側端末ＲＥ５Ａ〜ＲＥ５Ｎ毎に一斉に行う場合にも、輻輳等のために、制御パケットＰ５が失われる可能性があるという問題がある。
【０００９】
本発明は、複数の受信側端末へ制御パケットを送信する場合、制御パケットを、迅速かつ確実に、端末間で伝送することができる制御パケット伝送システムを提供することを目的とするものである。
【００１０】
【課題を解決するための手段】
本発明は、所定の制御パケットを送信する送信側端末を有し、受信した上記制御パケットが、直前に受信した上記制御パケットと異なるときには、新たな制御内容の制御パケットを受信したと判断し、新たな制御内容の制御パケットによる制御を行う受信側端末を有する制御パケット伝送システムである。
【００１１】
また、本発明は、所定の制御情報を具備し、予め定められているＵＲＬの表示を命令する制御パケットを送信する送信側端末を有し、新たに受信した上記制御パケットとその直前に受信した上記制御パケットとが異なるときには、新たな制御内容の制御パケットを受信したと判断し、上記直前に受信した制御パケットにおけるＵＲＬを表示する表示手段を有する制御パケット伝送システムである。
【００１２】
【発明の実施の形態および実施例】
図１は、本発明の第１の実施例である制御パケット伝送システム１００を示すブロック図である。
【００１３】
制御パケット伝送システム１００は、送信側端末ＴＲ１と、受信側端末ＲＥ１と、ネットワークＮＷとを有する。
【００１４】
送信側端末ＴＲ１は、互いに同一の制御情報と、互いに同一の識別子とを持つ制御パケットＰ１を複数回ずつ送信する端末である。そして、制御パケットＰ１における制御情報を変更した場合には、識別子も一緒に変更する。
【００１５】
図２は、上記実施例における制御パケットＰ１の構成例を示す図である。
【００１６】
なお、制御パケットＰ１における制御情報は、具体的には、
▲１▼　休止中（スタンバイ状態）の受信端末を起動する起動コマンド、
▲２▼　端末を休止状態にさせる休止コマンド、
▲３▼　画面にメッセージ等の表示を要求する表示コマンドと表示データ、
▲４▼　特定のサーバへデータを取りに行き、後はそのデータに従うように要求するジャンプコマンド、
▲５▼　送信側がダウンしていないことを端末に知らせるハートビートコマンド
等である。なお、第２の実施例以降における制御情報の具体例は、上記と同様である。
【００１７】
受信側端末ＲＥ１は、ネットワークＮＷを介して、制御パケットＰ１を受信し、制御する端末であり、パケット受信部１１と、識別子記憶部２１と、制御部３１と、制御命令実行部４１とを有する。
【００１８】
パケット受信部１１は、ネットワークＮＷから制御パケットＰ１を受け取る部分であり、識別子記憶部２１は、制御パケットＰ１の識別子を記憶する部分である。
【００１９】
制御部３１は、受け取った制御パケットＰ１中の識別子（新識別子）と、識別子記憶部２１に記憶されている識別子（旧識別子）とを比較し、両者が異なると、受け取った制御パケットＰ１の新識別子を、識別子記憶部２１に記憶させ、受け取った制御パケットＰ１に含まれている制御命令を出力する部分である。
【００２０】
制御部３１は、新たに受信した上記制御パケットとその直前に受信した上記制御パケットとを比較する制御パケット比較手段の例である。
【００２１】
制御命令実行部４１は、受け取った制御パケットＰ１を実行する部分である。
【００２２】
つまり、制御命令実行部４１は、新たに受信した制御パケットと直前に受信した制御パケットとが異なることを、制御パケット比較手段が判断すると、上記直前に受信した制御パケットが具備する上記制御情報の内容を実行する制御実行手段の例である。
【００２３】
次に、制御パケット伝送システム１００における制御動作について説明する。
【００２４】
まず、送信側端末ＴＲ１は、同一の制御情報を持つ制御パケットＰ１を複数回ずつ送信する。つまり、制御パケットＰ１が通信路内で消失する可能性があるので、制御パケットＰ１を複数回ずつ送信する。なお、制御パケットＰ１には、制御情報の同一性を判断するための識別子が含められている。
【００２５】
受信側端末ＲＥ１は、ネットワークＮＷを介して、制御パケットＰ１をパケット受信部１１で受け取ると、制御部３１は、受け取った制御パケットＰ１の識別子と、既に受け取った制御パケットＰ１の識別子とを比較する。
【００２６】
上記比較の結果、両識別子が互いに異なると判断すると、新たな制御内容の制御パケットＰ１を受け取ったと判断する。
【００２７】
なお、送信側端末ＴＲ１では、既に送信した制御パケットに含まれている制御情報と異なる制御情報を送る場合、新たに送る制御パケットＰ１に含められる制御情報を、新たな制御情報に変え、また、新たに送る制御パケットＰ１に含められる識別子を、新たな識別子に変えて送信する。
【００２８】
そして、受信側端末Ｅ１では、制御命令を出力する制御命令実行部４１が、上記新たな制御パケットＰ１であると判断された制御パケットＰ１に含まれている制御命令を、実行する。
【００２９】
一方、新たな制御内容の制御パケットＰ１を受け取ったと判断すると、識別子記憶部２１は、新たな制御パケットＰ１中の識別子を記憶する。
【００３０】
受け取った制御パケットＰ１の識別子が、既に受け取った制御パケットＰ１の識別子を持っていることを、制御部３１が判断すると、制御パケットＰ１は、既に受け取り済みであるとして、無視される。
【００３１】
次の制御パケットＰ１を新たに受け取ったときにも、新たに受け取った制御パケットＰ１の識別子と、識別子記憶部２１に記憶されている識別子とを比較し、両識別子が互いに異なれば、新たに受け取った制御パケットＰ１に対応する制御命令が実行され。受信側端末ＲＥ１が複数、存在する場合に、他の受信側端末ＲＥ１でも、上記と同様の処理を実行する。
【００３２】
制御パケット伝送システム１００によれば、制御パケットを端末間で伝送する場合、従来例のように「パケットを受信した」という応答を受信側端末に実行させる必要がないので、全体の送信が終了するまでに必要な時間が短くなり、その伝送処理が迅速で確実であり、また、複数の制御命令を決まった順序で実行することができる。
【００３３】
なお、送信側端末ＴＲ１は、必ずしも、制御パケットＰ１を複数回ずつ送信する必要はない。また、第２の実施例以降においても、送信側端末は、必ずしも、制御パケットを複数回ずつ送信する必要はない。
【００３４】
図３は、本発明の第２の実施例である制御パケット伝送システム２００を示すブロック図である。
【００３５】
制御パケット伝送システム２００は、送信側端末ＴＲ２と、受信側端末ＲＥ２と、ネットワークＮＷとを有する。
【００３６】
送信側端末ＴＲ２は、同一の制御情報を持つ制御パケットＰ２を複数回ずつ送信する。制御パケットＰ２は、ＵＤＰプロトコルによって送付され、制御パケットＰ２内には、識別子と、「表示する」というコマンドを示すコマンド番号と、表示すべきＵＲＬを示す文字列のコマンドの引数とが含まれている。
【００３７】
つまり、制御パケットＰ２は、所定の制御情報を具備し、予め定められているＵＲＬの表示を命令する制御パケットである。
【００３８】
なお、制御パケットＰ２を送信する場合、受信側端末ＲＥ２の数に応じて、ユニキャスト、マルチキャスト、ブロードキャストのいずれをも利用することができる。
【００３９】
受信側端末ＲＥ２は、ネットワークＮＷを介して、制御パケットＰ２を受信し、受信した制御パケットＰ２によって、インターネットのコンテンツを表示するブラウザに、特定のＵＲＬを表示するものである。
【００４０】
受信側端末ＲＥ２は、パケット受信部１２と、識別子記憶部２２と、制御部３２と、ブラウザ４２とを有する。
【００４１】
パケット受信部１２は、ネットワークＮＷから制御パケットＰ２を受け取る部分である。識別子記憶部２２は、制御パケットＰ２の識別子を記憶する部分である。
【００４２】
制御部３２は、受け取った制御パケットＰ２の識別子と、識別子記憶部２２に記憶されている識別子（旧識別子）とを比較し、両識別子が互いに異なると、受け取った制御パケットＰ２内の識別子（新識別子）を、識別子記憶部２２に記憶させ、制御パケットＰ２のＵＲＬを表示させるＵＲＬ表示命令を出力する部分である。つまり、制御部３２は、新たに受信した制御パケットとその直前に受信した上記制御パケットとを比較する制御パケット比較手段の例である。
【００４３】
ブラウザ４２は、制御パケットＰ２のＵＲＬ表示命令を、制御部３２から受け取り、表示命令の対象である制御パケットＰ２のＵＲＬを表示する部分である。
【００４４】
つまり、ブラウザ４２は、新たに受信した制御パケットと直前に受信した制御パケットとが異なることを、制御パケット比較手段が判断すると、上記直前に受信した制御パケットにおけるＵＲＬを表示する表示手段の例である。
【００４５】
次に、本発明の第２の実施例である制御パケット伝送システム２００における制御動作について、説明する。
【００４６】
まず、送信側端末ＴＲ２が、互いに同一の制御情報を持つ制御パケットＰ２を複数回ずつ送信する。制御パケットＰ２には、制御情報の同一性を判断するための識別子が含められ、受信側端末ＲＥ２は、ネットワークＮＷを介して、制御パケットＰ２を受信部１２で受け取り、制御部３２は、受け取った制御パケットＰ２の識別子（新識別子）と、既に受け取った制御パケットＰ２の識別子（旧識別子）とを比較し、互いに異なる識別子であると判断すると、新たな制御内容の制御パケットＰ２を受け取ったと判断し、制御パケットＰ２に含まれているコマンドの引数で指示されたＵＲＬを、ブラウザ４２に送り、ＵＲＬ表示命令を実行させる。
【００４７】
また、受け取った制御パケットＰ２の識別子（新識別子）と、既に受け取った制御パケットＰ２の識別子（旧識別子）とが、互いに異なる識別子であると判断すると、識別子記憶部２２に既に記憶されている識別子が、新たな制御内容の制御パケットＰ２の識別子に更新される。
【００４８】
受け取った制御パケットＰ２の識別子が、既に受け取った制御パケットＰ２の識別子と同じであると判断すると、制御パケットＰ２は、既に受け取り済みとして無視され、対応するＵＲＬが表示されない。
【００４９】
次の制御パケットＰ２を受け取ったときにも、上記と同様に、受け取った制御パケットＰ２の識別子と、既に受け取り識別子記憶部２２に記憶されている識別子とが比較され、互いに異なる識別子を持つと判断すると、新たな制御内容の制御パケットＰ２を受け取ったと判断し、上記新たに受け取った制御パケットＰ２に含まれているコマンドの引数で指示されたＵＲＬを、ブラウザ４２に送り、ＵＲＬ表示命令を実行させる。
【００５０】
受信側端末ＲＥ２が複数存在する場合も、他の受信側端末ＲＥ２に、上記と同様の処理を実行する。
【００５１】
本発明の第２の実施例である制御パケット伝送システム２００によれば、制御パケットを端末間で伝送する場合、従来例のように「パケットを受信した」という応答を受信側端末に実行させる必要がないので、制御パケットを端末間で、迅速かつ確実に伝送することができ、また、特定のＵＲＬを、迅速かつ確実に表示することができる。
【００５２】
図４は、本発明の第３の実施例である制御パケット伝送システム３００を示すブロック図である。
【００５３】
制御パケット伝送システム３００は、送信側端末ＴＲ３と、受信側端末ＲＥ３と、ネットワークＮＷとを有する。
【００５４】
図５は、制御パケット伝送システム３００において使用する制御パケットＰ３の構成例を示す図である。
【００５５】
送信側端末ＴＲ３は、同一の制御情報を持つ制御パケットＰ３を、連続して複数回ずつ送信し、制御パケットＰ３には、図５に示すように、制御情報の同一性を判断するための識別子と、受信側端末ＲＥ３が次に受け取るべき制御パケットに対応する識別子である次識別子とが含められている。
【００５６】
受信側端末ＲＥ３は、受信部１３と、識別子記憶部２３と、制御部３３と、制御命令実行部４３とを有する。
【００５７】
受信部１３は、ネットワークＮＷを介して、制御パケットＰ３を受信する。識別子記憶部２３は、受信した識別子と、次識別子とを記憶する。
【００５８】
制御部３３は、新たに受け取った制御パケットＰ３の識別子と、既に受け取った制御パケットＰ３の次識別子とを比較し、同一識別子であると判断すると、新たな制御内容の制御パケットＰ３を受け取ったと判断し、上記判断された新たな制御内容に応じた制御命令を出力する。また、制御部３３は、新たな制御内容の制御パケットＰ３を受け取ったと判断したときに、既に識別子記憶部２３に記憶されている次識別子を、新たな制御内容の制御パケットＰ３に含まれている次識別子に更新させる。
【００５９】
制御命令実行部４３は、制御部３３が出力した制御命令に応じた動作を実行する。
【００６０】
制御部３３は、新たに受け取った制御パケットの識別子と、直前に受け取った制御パケットにおける次識別子とを比較し、上記新たに受け取った上記制御パケットの識別子と、上記直前に受け取った上記制御パケットにおける次識別子とが同じであれば、新たな制御内容の上記制御パケットを受信したことを判断する手段の例である。
【００６１】
次に、制御パケット伝送システム３００の制御動作について説明する。
【００６２】
まず、ネットワークＮＷを介して、新たな制御パケットＰ３を、受信側端末ＲＥ３の受信部１３が受け取ると、新たに受け取った制御パケットＰ３に含まれている識別子と、既に受け取った制御パケットＰ３に含まれている次識別子とを、制御部３３が比較し、同一識別子であると判断すると、新たな制御内容の制御パケットＰ３を受け取ったと判断し、制御部３３が、上記新たな制御パケットＰ３に含まれている制御命令を出力し、制御命令実行部４３が、上記新たな制御パケットＰ３に含まれている制御命令を実行する。
【００６３】
また、新たな制御内容の制御パケットＰ３を受け取ったことを、制御部３３が判断すると、識別子記憶部２３に既に記憶されている次識別子が、上記新たに受け取った制御パケットＰ３に含まれている次識別子に更新される。
【００６４】
受け取った制御パケットＰ３の識別子が、既に受け取った制御パケットＰ３の次識別子と異なっていると判断すると、受け取った制御パケットＰ３は、既に受け取り済みの制御パケットであるとして無視される。
【００６５】
なお、立ち上げ時には、予め決められた初期値が、次識別子として、識別子記憶部２３に記憶される。この初期値（次識別子）と一致する識別子を、次識別子として持つ制御パケットを受信すると、上記動作が開始される。
【００６６】
また、終了識別子を予め定め、制御パケットの識別子として、上記識別子、上記次識別子以外には、終了識別子を新たに設けないこととし、次識別子として終了識別子を設定し、この設定された制御パケットを送付する。このようにすれば、終了識別子を新たに設けなくても、受信側端末ＲＥ３の動作を停止することができる。
【００６７】
そして、次の制御パケットＰ３を受け取ったときにも、上記と同様に、受け取った制御パケットＰ３の識別子と、既に受け取り識別子記憶部２３に記憶されている次識別子とを比較し、受け取った制御パケットＰ３の識別子と、既に受け取り識別子記憶部２３に記憶されている次識別子とが同じであると判断されれば、制御命令を実行する。受信側端末ＲＥ３が複数、存在する場合、２つ目以降の受信側端末ＲＥ３は、上記と同様の処理を実行する。
【００６８】
制御パケット伝送システム３００によれば、迅速処理で確実に制御パケットを端末間で伝送し、複数の制御命令を決まった順序でより確実に実行することができる。
【００６９】
なお、制御パケット伝送システム３００を、制御パケット伝送システム２００に適用するようにしてもよい。
【００７０】
図６は、本発明の第４の実施例である制御パケット伝送システム４００を示すブロック図である。
【００７１】
第４の実施例である制御パケット伝送システム４００は、送信側端末ＴＲ４と、受信側端末ＲＥ４と、ネットワークＮＷとを有する。
【００７２】
送信側端末ＴＲ４は、同一の制御情報を持つ制御パケットＰ４を複数回ずつ送信する端末であり、制御パケットＰ４には、制御情報の同一性を判断するための識別子と、送信側端末ＴＲ４に設定されているパスワードとが含められている。
【００７３】
図７は、制御パケット伝送システム４００において使用する制御パケットＰ４の構成例を示す図である。
【００７４】
受信側端末ＲＥ４は、固有のパスワードが設定され、受信部１４と、識別子記憶部２４と、制御部３４と、制御命令実行部４４とを有する。
【００７５】
識別子記憶部２４には、受信側端末ＲＥ４の固有のパスワードが設定されている。
【００７６】
受信側端末ＲＥ４が、ネットワークＮＷを介して、制御パケットＰ４を受け取り、受け取った制御パケットＰ４中のパスワードと、識別子記憶部２４に設定されている固有のパスワードとが一致していることを制御部３４が判断した場合に限り、制御パケット伝送システム１００と同様の動作を実行する。
【００７７】
つまり、受信側端末ＲＥ４は、送信側端末ＴＲ４に設定されているパスワードと、受信側端末ＲＥ４に設定されている固有のパスワードとが一致したときに、受信側端末ＲＥ４が制御パケットＰ４を受信することができる端末である。
【００７８】
制御パケット伝送システム４００によれば、ネットワークＮＷ上の複数の受信側端末のうちで、同一のパスワードを持つ受信側端末だけを対象にした制御を、ブロードキャストまたはマルチキャストによって実行することができ、迅速かつ確実に、制御パケットを端末間で伝送し、複数の制御命令を決まった順序でより確実に実行することができる。
【００７９】
また、制御パケット伝送システム４００を、制御パケット伝送システム２００、３００に適用することができる。
【００８０】
なお、制御パケット伝送システム１００、２００、３００、４００における各処理動作を方法の発明として把握することができ、この場合にも、迅速処理で確実に制御パケットを端末間で伝送することもできる。
【００８１】
上記各実施例において、制御パケットに含まれている識別子に基づいて、受信端末が各判断を実行するので、新たな制御内容の制御パケットを受信したことを確実に判断することができる。
【００８２】
なお、上記実施例における上記動作を、コンピュータプログラムで表現するようにしてもよく、また、上記表現されたコンピュータプログラムを、ＣＤ、ＦＤ、ＨＤ、半導体メモリ等の記録媒体に記録するようにしてもよい。
【００８３】
【発明の効果】
本発明によれば、複数の受信側端末へ制御パケットを送信する場合、制御パケットを、迅速かつ確実に、端末間で伝送することができるという効果を奏する。
【図面の簡単な説明】
【図１】本発明の第１の実施例である制御パケット伝送システム１００を示すブロック図である。
【図２】上記実施例における制御パケットＰ１の構成例を示す図である。
【図３】本発明の第２の実施例である制御パケット伝送システム２００を示すブロック図である。
【図４】本発明の第３の実施例である制御パケット伝送システム３００を示すブロック図である。
【図５】制御パケット伝送システム３００において使用する制御パケットＰ３の構成例を示す図である。
【図６】本発明の第４の実施例である制御パケット伝送システム４００を示すブロック図である。
【図７】制御パケット伝送システム４００において使用する制御パケットＰ４の構成例を示す図である。
【図８】従来の制御パケット伝送システム５００を示すブロック図である。
【符号の説明】
１００〜４００…制御パケット伝送システム、
ＴＲ１〜ＴＲ４…送信側端末、
ＲＥ１〜ＲＥ４…受信側端末、
Ｒ１〜Ｐ４…制御パケット、
１１〜１４…パケット受信部、
２１〜１４…識別子記憶部、
３１〜３４…制御部、
４１、４３、４４…制御命令実行部、
４２…ブラウザ。
【図１】
2004023596.tif 000003
【図２】
2004023596.tif 000004
【図３】
2004023596.tif 000005
【図４】
2004023596.tif 000006
【図５】
2004023596.tif 000007
【図６】
2004023596.tif 000008
【図７】
2004023596.tif 000009
【図８】
2004023596.tif 000010